(57)【特許請求の範囲】
【請求項１】
前方パネルに形成された吐出口を開閉する開閉ドアと、該開閉ドアの昇降を案内するよう前記吐出口の両側にそれぞれ設けられた案内レールと、前記開閉ドアを昇降させる昇降手段と、該昇降手段と前記開閉ドアとの連結を媒介する連結部材を備える空気調和機において、
前記連結部材は、前記昇降手段を通して伝わる力が前記開閉ドアの下部に分布され伝達されるよう横方向に長く延び、前記開閉ドアの下端に回動自在に結合されることを特徴とする空気調和機。
【請求項２】
前記連結部材は、前記案内レールに沿って昇降するよう両端が前記案内レールに結合されることを特徴とする請求項１に記載の空気調和機。
【請求項３】
前記前方パネルの後方には前記吐出口と対応する部分が開放され両端に折り曲げられた支持部の形成された支持パネルが備わり、前記案内レールは前記支持部の上部と下部にそれぞれ形成された上部レールと下部レールを備え、前記上部レールに沿って昇降するよう前記開閉ドアの上部両側に形成された上部突起と、前記下部レールに沿って昇降するよう前記連結部材の両端に形成された下部突起と、を備えることを特徴とする請求項２に記載の空気調和機。
【請求項４】
前記下部レールは、前記開閉ドアが上昇する際前記下部突起を前記吐出口方向に案内するよう上部に前方に傾いて形成される傾斜部を備えることを特徴とする請求項３に記載の空気調和機。
【請求項５】
前記下部突起は、上部と下部に相互離隔するよう設けられた第１突起と第２突起を備えることを特徴とする請求項３に記載の空気調和機。
【請求項６】
前記昇降手段は、前記支持パネルに昇降自在に結合され、上部が前記連結部材に回動自在に結合され、長手方向にラックギヤ部が形成された昇降部材と、該昇降部材を昇降させるよう前記ラックギヤ部と噛み合うピニオンを備えた駆動モータと、を備えることを特徴とする請求項３に記載の空気調和機。
【請求項７】
前記昇降部材と前記連結部材とが連結される部分の偏心が防止されるよう前記連結部材の下側中央には横方向に所定長さ延びる結合軸が設けられ、前記昇降部材の上部には前記結合軸に対応して結合される結合溝が形成され、前記結合軸と前記結合溝の長さが前記昇降部材の幅に対応するようにしたことを特徴とする請求項６に記載の空気調和機。
【請求項８】
前記連結部材は、その上部に前記吐出口に向けて折り曲げられた後所定長さに延びる延長部を備え、前記延長部の両端が前記開閉ドアの下部両側に回動自在に結合されることを特徴とする請求項１に記載の空気調和機。
【発明の詳細な説明】
【０００１】
【発明の属する技術分野】
本発明は空気調和機に係り、さらに詳しくは吐出口を開閉する開閉ドアの偏心を防止して開閉動作を円滑にした吐出口開閉装置を備えた空気調和機に関する。
【０００２】
【従来の技術】
最近開発された空気調和機の室内器は、吐出口に埃や異物が流入されることを防止するため、使用する際吐出口を開け、使用しない時は吐出口を閉める吐出口開閉装置を備える。
【０００３】
このような吐出口開閉装置は、図１及び図２に示した通り、本体の前方カバー１に形成された吐出口２を開閉できるよう吐出口２に応ずるサイズに設けられた開閉ドア３と、吐出口２の両側で開閉ドア３を支持すると共に、開閉ドア３の昇降を案内する一対の案内部材４、それから開閉ドア３を昇降させる昇降手段と、を備える。
【０００４】
吐出口２の両側の二つの案内部材４には開閉ドア３の昇降を案内するために上部レール５ａと下部レール５ｂが設けられ、開閉ドア３の上部と下部の両側には上部レール５ａと下部レール５ｂに結合され開閉ドア３の昇降が案内されるよう上部支持ピン６ａと下部支持ピン６ｂが設けられる。また、下部レール５ｂの上部には開閉ドア３が上昇した時下部支持ピン６ｂが所定区間の前方に案内されるよう吐出口３に向けて傾斜して延びた傾斜部５ｃが設けられる。これは、開閉ドア３が上昇した時開閉ドア３の前面と前方パネル１の前面が同一な平面をなしながら外観が美麗になることを図った。
【０００５】
昇降手段はラックギヤ部７ａが形成された昇降部材７と、昇降部材７のラックギヤ部７ａに噛合うピニオンギヤ８ａと、ピニオンギヤ８ａを回動させる駆動モータ８とから構成される。この際、昇降部材７は開閉ドア３の後方のほぼ中央部に昇降自在に設けられ、上部が所定長さの連結部材９を媒介に開閉ドア３の裏面に連結される。そして、ピニオンギヤ８ａは昇降部材７のラックギヤ部７ａと噛合う。
【０００６】
このような吐出口開閉装置は、駆動モータ８によりピニオンギヤ８ａが回転する際昇降部材７の昇降がなされ、昇降部材７と結合された開閉ドア３が案内部材４の二つのレール５ａ、５ｂに沿って昇降しつつ吐出口２を開閉する。
【０００７】
ところが、このような構成の吐出口開閉装置は、開閉ドア３を昇降させる昇降部材７が開閉ドア３の中央に配されており、開閉ドア３と昇降部材７の連結を媒介する連結部材９も開閉ドア３の背面の中央に回動自在な状態に連結されているため、装置の揺れなどにより開閉ドア３が偏心される際開閉ドア３の昇降が円滑でない問題があった。また、このような問題が長期化する時はレール５ａ、５ｂと支持片６ａ、６ｂが磨耗され吐出口２の開閉が不完全になる問題があった。
【０００８】
【発明が解決しようとする課題】
本発明は前述したような問題点を解決するために案出されたもので、その目的は開閉ドアの昇降時偏心が防止されるようにして、開閉ドアの昇降及び吐出口の開閉動作が円滑になされるようにした吐出口開閉装置を備えた空気調和機を提供するところにある。
【０００９】
【課題を解決するための手段】
前述したような目的を達成するための本発明に係る空気調和機は、前方パネルに形成された吐出口を開閉する開閉ドアと、該開閉ドアの昇降を案内するよう前記吐出口の両側にそれぞれ設けられた案内レールと、前記開閉ドアを昇降させる昇降手段と、前記昇降手段と前記開閉ドアの連結を媒介する連結部材を備える空気調和機において、前記連結部材は前記昇降手段を通して伝えられる力が前記開閉ドアの下部に分布され伝達されるよう横方向に長く延び、前記開閉ドアの下端に回動自在に結合されることを特徴とする。
【００１０】
また、前記連結部材は、前記案内レールに沿って昇降するよう両端が前記案内レールに結合されることを特徴とする。
【００１１】
そして、前記前方パネルの後方には前記吐出口と対応する部分が開放され、両端に折り曲げられた支持部の形成された支持パネルが備わり、前記案内レールは前記支持部の上部と下部にそれぞれ形成された上部レールと下部レールを備え、前記開閉ドアが前記上部レールに沿って昇降するよう前記開閉ドアの上部両側に形成された上部突起と、前記連結部材が前記下部レールに沿って昇降するよう前記連結部材の両端に形成された下部突起とを備えることを特徴とする。
【００１２】
また、前記下部レールは前記開閉ドアが上昇する時前記下部突起を前記吐出口方向に案内するよう上部に前方に傾斜して形成された傾斜部を備えることを特徴とする。
【００１３】
そして、前記下部突起は、上部と下部に相互離隔されるよう設けられた第１突起と第２突起とを備えることを特徴とする。
【００１４】
また、前記昇降手段は前記支持パネルに昇降自在に結合され、上部が前記連結部材に回動自在に結合され、長手方向にラックギヤ部が形成された昇降部材と、該昇降部材を昇降させるよう前記ラックギヤ部と噛み合うピニオンを備えた駆動モータを備えることを特徴とする。
【００１５】
また、前記昇降部材と前記連結部材が連結される部分の偏心が防止されるよう前記連結部材の下側中央には横方向に所定長さに延びる結合軸が設けられ、前記昇降部材の上部には前記結合軸に対応結合される結合溝が形成され、前記結合軸と前記結合溝の長さが前記昇降部材の幅に対応するようになることを特徴とする。
【００１６】
そして、前記連結部材はその上部に前記吐出口に向けて折り曲げられた後所定長さに延びる延長部を備え、前記延長部の両端が前記開閉ドアの下部両側に回動自在に結合されることを特徴とする。
【００１７】
【発明の実施の形態】
以下、添付した図面に基づき本発明に係る望ましい実施形態をさらに詳しく説明する。
【００１８】
本発明が適用される空気調和機は、図３に示した通り、ボックス状のケーシング１１と、該ケーシング１１の開放された前方を覆う前方カバー１２よりなる本体１０を備え、本体１０の内部に設けられるもので熱交換のための通常の熱交換器１５と空気の送風のための送風ファン１６を備える。
【００１９】
前方カバー１２には室内空気を本体１０の内部に吸引するための吸引口１４が下側に形成され、調和された空気を再び室内空間に吐出するための吐出口１３が上側に形成された。また、吐出口１３の内側には吐出される空気の方向を調節するための多数の水平及び垂直型風向羽根１７、１８が設けられる。
【００２０】
また、吐出口１３には本体１０の内部に埃や異物が流入されないようにするため、空気調和機を使用しない時吐出口１３が閉り、使用する際吐出口１３が開くようにする吐出口開閉装置２０が設けられる。
【００２１】
吐出口開閉装置２０は、図４及び図５に示した通り、前方パネル１２に形成された吐出口１３を開閉できるよう吐出口１３と対応するサイズに形成された開閉ドア２１と、開閉ドア２１の昇降動作を案内するための案内レール２３、２４を備える。また、吐出口開閉装置２０は開閉ドア２１を強いて昇降させる昇降手段５０と、開閉ドア２１と昇降手段の連結を媒介しつつ開閉ドア２１の昇降を案内する連結部材４０、そしてこのような装置が設けられ得るように前方パネル１２の後方に装着される支持パネル３０を備える。
【００２２】
支持パネル３０は、吐出口１３と対応する上部に空気の流れのための開口３１を備え、その周りには支持パネル３０の剛性を補強すると共に、支持パネル３０が前方パネル１２の背面に固定されうるようにするための支持部３２が備えられる。この際、支持部３２は支持パネル３０の両側端部及び開口３１の上側と下端から前方パネル１２の背面に向けて所定長さ折曲げて延びる。このような構成は、前方パネル１２の背面と支持パネル３０との間に離隔された空間が形成されることにより、離隔された空間に開閉ドア２１と昇降手段５０などが内蔵できるようにするためである。
【００２３】
また、このような構成は両側支持部３２の内面に開閉ドア２１の昇降のための案内レール２３、２４が形成され、上側開口３１の周りに前述した水平及び垂直型風向羽根１７、１８の設置のための多数の結合孔３３、３４及び風向羽根１７、１８を駆動させる羽根駆動モータ１７ａ、１８ａが装着されうるようにしたものである。
【００２４】
支持部３２に形成される案内レール２３、２４は、図５および図６に示した通り、支持部３２の上部と下部にそれぞれ上下に長く形成された上部レール２３と下部レール２４を備える。上部レール２３は、開閉ドア２１が上昇する時吐出口１３が設けられた前方に向けて移動できるよう上端が吐出口１３に近接するよう全体的に傾斜して形成される。下部レール２４は、概略垂直をなすよう形成され、その上部には、上昇する開閉ドア２１の下部が吐出口１３側に案内されるよう前方に向けて所定角度傾斜して形成された傾斜部２４ａが設けられる。このような案内レール２３、２４の構成は、昇降手段５０の動作により開閉ドア２１が閉る時開閉ドア２１が吐出口１３側に案内されることにより、開閉ドア２１の前面が前方パネル１２の前面と一致した状態に閉って外観を美麗にするためのものである。
【００２５】
開閉ドア２１はその上部が上部レール２３に沿って昇降するよう上部両側から突出され上部レール２３に結合される上部突起２２を備える。そして、開閉ドア２１の下部は昇降手段５０との連結を媒介しつつ開閉ドア２１の下部の昇降を案内する連結部材４０と回動自在に結合される。
【００２６】
連結部材４０は、図６に示した通り、開閉ドア２１の幅とほぼ対応するよう横方向に長く延び、その両端に形成される下部突起４１が下部レール２４に進入されることにより下部レール２４に沿って昇降するよう構成される。この際、両端の下部突起４１は連結部材４０の回動が制限された状態で昇降がなされるようにすると同時に、昇降する過程において連結部材４０の偏心が防止されるよう相互離隔された上側の第１突起４１ａと下側の第２突起４１ｂで構成される。また、連結部材４０の上部には吐出口１３に向けて折り曲げられた後所定長さ延びる延長部４２を備え、延長部４２の両端には開閉ドア２１の下端との結合のためのヒンジ軸４３が形成される。そして、開閉ドア２１の下部両側にはヒンジ軸４３との結合のための結合孔２１ａが形成される。
【００２７】
このような連結部材４０の構成は、昇降手段５０を通して伝えられる力が開閉ドア２１の下部に均一に分布され伝達されることにより開閉ドア２１が偏心せず円滑に昇降するようにしたものである。また、このような構成は開閉ドア２１が閉る過程において連結部材４０が下部レール２４に沿って上昇して上側傾斜部２４ａに至ったとき連結部材４０が前方に所定角度回動するが、この際上側の折り曲げられた延長部４２がさらに大きい半径に回転することにより、開閉ドア２１の下部が吐出口１３側に移動して一層確実に閉るようにしたものである。
【００２８】
昇降手段５０は、連結部材４０の下側中央部と結合され連結部材４０を昇降させうるよう支持パネル３０の中央部に上下に摺動自在に設けられ、一側にラックギヤ部５１ａが形成された昇降部材５１と、該昇降部材５１を昇降させるようラックギヤ部５１ａと噛み合うピニオン５２を備えた駆動モータ５３と、を備える。この際、支持パネル３０の中央には、上下方向に昇降部材用案内レール３６が形成され、該案内レール３６と近接する支持パネル３０に昇降部材５１を動作させる駆動モータ５３が装着される。
【００２９】
また、昇降部材５１の上部と連結部材４０は、相互回動が可能なように結合されるが、このような結合のために結合部材４０の下側中央部には横方向に所定長さを有する結合軸４４が形成され、昇降部材５１の上部には結合軸４４と対応結合される結合溝５１ｂが形成される。この際、結合軸４４と結合溝５１ｂの長さは昇降部材５１の幅と対応するよう設けられ、昇降部材５１が昇降する時連結部材４０の偏心が防止されるようにすることが望ましい。また、連結部材４０の結合軸４４の上部には、所定の余裕空間が形成され連結部材４０の回動を容易にするのが望ましい。
【００３０】
次は、このような構成の本発明に係る空気調和機の吐出口開閉装置の動作を説明する。
【００３１】
図７に示した通り、吐出口１３が開いている時は、開閉ドア２１と連結部材４０、そしてこれらを動作させる昇降部材５１が全て下降された状態を維持する。この際開閉ドア２１の上部突起２２は、上部レール２３の下部に置かれ、連結部材４０の両端の下部突起４１は下部レール２４の下部に置かれる。また、連結部材４０は上下離隔された第１突起４１ａと第２突起４１ｂよりなる二つの下部突起４１を通して支持されるため回動が制限される。
【００３２】
この状態で駆動モータ５３の動作で昇降部材５１のラックギヤ部５１ａと噛み合ったピニオン５２が回動すれば、図８に示した通り、昇降部材５１が上昇しつつ開閉ドア２１の上昇がなされる。すなわち、昇降部材５１は連結部材４０を押し上げ、連結部材４０は再び開閉ドア２１の下端を押し上げるので開閉ドア２１の上昇がなされる。
【００３３】
この際、連結部材４０の両側の下部突起４１が下部レール２４の傾斜部２４ａに至った状態で昇降部材５１が所定区間さらに上昇すれば、上側の第１突起４１ａが傾斜部２４ａに先に進入しつつ連結部材４０の回動がなされる。そして連結部材４０の上側の折り曲げられた延長部４２は一層大きい半径に回転する。従って、延長部４２と回動自在に結合された開閉ドア２１は下部が吐出口１３側に移動するので、その前面が前方パネル１２の前面と一致した状態で閉る。
【００３４】
また、開閉ドア２１の上部の上部突起２２は傾斜した上部レール２３に沿って上昇しつつ次第に吐出口１３に向けて移動するため、開閉ドア２１が完全に閉るときはその下部と同様に前方パネル１２の前面と一致した状態で閉る。
【００３５】
開閉ドア２１が閉った状態で再び開くときは、駆動モータ５３の逆転によりピニオン５２が前述した場合と逆に回転しつつ昇降部材５１の下降がなされ、昇降部材５１と共に連結部材４０の下降がなされながら開閉ドア２１が開く。
【００３６】
この際、連結部材４０は第１突起４１ａと第２突起４１ｂよりなる下部突起４１が下部レール２４の傾斜部２４ａを抜け出ながら閉る時の逆方向に回転するので、開閉ドア２１が吐出口１３の内側に入りながら開き、第１突起４１ａと第２突起４１ｂが下部レール２４の傾斜部２４ａを完全に外れた後はそのまま下降しつつ開く。
【００３７】
一方、本発明は、このような開閉動作がなされる時昇降部材５１を通して伝達される力が横方向に長く形成された連結部材４０を通して開閉ドア２１の下部に均一に分布され伝達されるため、開閉ドア２１の偏心が防止され円滑な昇降動作がなされる。また、連結部材４０は両側の下部レール２４に結合される二つの下部突起４１ａ、４１ｂを通して偏心と揺れが防止された状態で昇降するため、開閉ドア２１の昇降動作をさらに円滑にする。
【００３８】
【発明の効果】
以上述べた通り、本発明に係る空気調和機は上下に動作する昇降部材の力が横方向に長く形成された連結部材を通して開閉ドアに均一に分布され伝えられるのみならず、連結部材の両端の下部突起が下部レールに沿って昇降するので、開閉ドアの左右偏心と揺れが防止され円滑な開閉動作がなされる効果がある。
【００３９】
また、本発明は開閉ドアが閉るとき連結部材が所定角度に回転しつつ開閉ドアの下部を吐出口側に押えるので開閉ドアの開閉動作が正確になされる効果がある。
【図面の簡単な説明】
【図１】従来の空気調和機の吐出口開閉装置の構成を示した分解斜視図である。
【図２】従来の空気調和機の吐出口開閉装置の構成を示した断面図である。
【図３】本発明が適用された空気調和機の内部構成を示した断面図である。
【図４】本発明に係る空気調和機の吐出口開閉装置の構成を示した分解斜視図である。
【図５】図４の要部を拡大した詳細図である。
【図６】本発明に係る空気調和機の吐出口開閉装置の連結部材の構成及びその結合構造を示した斜視図である。
【図７】本発明に係る空気調和機の吐出口開閉装置の動作を示した断面図であって、開閉ドアが開いた状態を示した図である。
【図８】本発明に係る空気調和機の吐出口開閉装置の動作を示した断面図であって、開閉ドアが閉った状態を示した図である。
【符号の説明】
１０  本体
１２  前方パネル
１３  吐出口
２０  吐出口  開閉装置
２１  開閉ドア
２２  上部突起
２３  上部レール
２４  下部レール
２４ａ  傾斜部
３０  支持パネル
３２  支持部
３６  昇降部材用案内レール
４０  連結部材
４１  下部突起
４２  延長部
４３  ヒンジ軸
４４  結合軸
５０  昇降手段
５１  昇降部材
５２  ピニオン
５３  駆動モータ
【図１】
0003586249.tif 000002
【図２】
0003586249.tif 000003
【図３】
0003586249.tif 000004
【図４】
0003586249.tif 000005
【図５】
0003586249.tif 000006
【図６】
0003586249.tif 000007
【図７】
0003586249.tif 000008
【図８】
0003586249.tif 000009